(57)【特許請求の範囲】
【請求項１】
通帳の内部用紙に、少なくとも罫線および文字から成る取引明細欄、および、カラー絵柄を印刷する通帳印刷方法であって、
前記内部用紙に、
前記取引明細欄の画像から色分解せずに作成した第１の版により前記取引明細欄を印刷するとともに、前記カラー絵柄の画像から色分解して作成した第２の版により前記カラー絵柄を印刷することを特徴とする通帳印刷方法。
【請求項２】
バーコードの画像から色分解せずに作成した第３の版により、前記内部用紙にバーコードの印刷を行うことを特徴とする請求項１記載の通帳印刷方法。
【請求項３】
前記第１の版は、前記取引明細欄の前記罫線の画像から色分解せずに作成した前記罫線を印刷するための版と、前記取引明細欄の前記文字の画像から色分解せずに作成した前記文字を印刷するための版から成り、
前記罫線を印刷するための版、または前記文字を印刷するための版は、前記罫線の部分または前記文字によって異なる複数の版を含むことを特徴とする請求項１または請求項２に記載の通帳印刷方法。
【請求項４】
前記第２の版は、前記カラー絵柄の画像を色分解して作成した、前記カラー絵柄のシアン（Ｃ）、マゼンダ（Ｍ）、イエロー（Ｙ）の成分をそれぞれ印刷するための版から成ることを特徴とする請求項１乃至請求項３のいずれかに記載の通帳印刷方法。
【請求項５】
前記取引明細欄の印刷を行う際は、ドロップアウトカラーインキを用いて印刷を行うことを特徴とする請求項１乃至請求項４のいずれかに記載の通帳印刷方法。
【請求項６】
前記通帳の印刷を行う際は、作成した各版を、オフセット印刷機またはグラビア印刷機を構成する複数の印刷ユニットにそれぞれ取り付けて、前記複数の印刷ユニットにより印刷を行うことを特徴とする請求項１乃至請求項５のいずれかに記載の通帳印刷方法。
【請求項７】
前記第２の版は、前記カラー絵柄の画像を色分解した後、ＦＭ（Ｆｒｅｑｕｅｎｃｙ  Ｍｏｄｕｌａｔｉｏｎ）スクリーニング処理により網点変換した画像データから製版されることを特徴する請求項１乃至請求項６のいずれかに記載の通帳印刷方法。
【請求項８】
表紙および前記表紙の内部に挟み込まれた内部用紙よりなる通帳であって、
前記内部用紙は、少なくとも罫線および文字から成る取引明細欄、および、カラー絵柄が印刷され、
前記取引明細欄は、前記取引明細欄の画像から色分解せずに作成された第１の版により印刷され、前記カラー絵柄は、前記カラー絵柄の画像から色分解して作成された第２の版により印刷されることを特徴とする通帳。
【請求項９】
バーコードの画像から色分解せずに作成した第３の版により、前記内部用紙にバーコードが印刷されていることを特徴とする請求項８記載の通帳。
【請求項１０】
前記取引明細欄は、前記取引明細欄の前記罫線の画像から色分解せずに作成した前記罫線を印刷するための版と、前記取引明細欄の前記文字の画像から色分解せずに作成した前記文字を印刷するための版を用いて印刷され、
前記罫線を印刷するための版、または前記文字を印刷するための版は、前記罫線の部分または前記文字によって異なる複数の版を含むことを特徴とする請求項８または請求項９に記載の通帳。
【請求項１１】
前記カラー絵柄は、前記カラー絵柄の画像を色分解して作成した、前記カラー絵柄のシアン（Ｃ）、マゼンダ（Ｍ）、イエロー（Ｙ）の成分をそれぞれ印刷するための版を用いて印刷されていることを特徴とする請求項８乃至請求項１０のいずれかに記載の通帳。
【請求項１２】
前記取引明細欄は、ドロップアウトカラーインキにより印刷されていることを特徴とする請求項８乃至請求項１１のいずれかに記載の通帳。
【請求項１３】
前記カラー絵柄は、前記カラー絵柄の画像を色分解した後、ＦＭ（Ｆｒｅｑｕｅｎｃｙ  Ｍｏｄｕｌａｔｉｏｎ）スクリーニング処理により網点変換した画像データから製版された版により印刷されていることを特徴する請求項８乃至請求項１２のいずれかに記載の通帳。
【発明の詳細な説明】
【技術分野】
【０００１】
本発明は、通帳を印刷する通帳印刷方法および通帳に関し、更に詳しくは、内部用紙に、取引明細欄に加えてカラー絵柄を印刷する通帳印刷方法および通帳に関する。
【背景技術】
【０００２】
金融機関では、口座が開設されると通帳が発行されるが、近年、他の金融機関との差別化を図る目的で、通帳の表紙や中の内部用紙への種々の工夫が提案されている（例えば、特許文献１、特許文献２）。
特許文献１は、通帳の表紙および中の内部用紙に顔写真を印刷するシステムを提案しており、通帳にアルバムとしての機能を持たせることを可能である。しかし、写真は、取引明細欄の欄外に印刷され、取引明細欄の地紋として印刷するものではない。
【０００３】
特許文献２は、通帳の内部用紙に風景写真等の地紋を印刷する方法を提案している。
この印刷方法は、取引明細欄の文字や罫線と、地紋とする画像データをまとめて色分解し、Ｃ（シアン）、Ｍ（マゼンダ）、Ｙ（イエロー）、Ｋ（ブラック）の４色についての版を作成し、オフセット印刷機等で印刷する。
【先行技術文献】
【特許文献】
【０００４】
【特許文献１】特開２００８−９７１６１号公報
【特許文献２】特開２００８−４４１４９号公報
【発明の概要】
【発明が解決しようとする課題】
【０００５】
特許文献２の方法は、通帳の内部用紙に印刷される文字、罫線、地紋等のすべてを一緒に色分解し、ＦＭスクリーニング（周波数変調スクリーニング）手法等により網点画像データに変換し、ＣＴＰ（Ｃｏｍｐｕｔｅｒ  ｔｏ  Ｐｌａｔｅ）システムにより網点画像データより４色分の版面を形成し、各版を印刷機の版胴に装着することにより印刷する。
【０００６】
通帳は、現金自動預払機ＡＴＭ（Ａｕｔｏｍａｔｅｄ  Ｔｅｌｌｅｒ  Ｍａｃｈｉｎｅ）で処理される。その際、内部用紙に印字された取引明細等をＡＴＭに装備されているスキャナーで読み取る必要がある。新たな取引明細の印字を既に取引明細が印字された行の下の行に行うなどするためである。
そのため、取引明細等の読み取りを妨げないように、通帳の印刷画像には、ＰＣＳ（Ｐｒｉｎｔ  Ｃｏｎｔｒａｓｔ  Ｓｉｇｎａｌ）値による濃度条件の制約がある。ＰＣＳ値は、用紙地色の反射率と印刷部の反射率の差を用紙地色の反射率で割った０．００〜１．００の数値で、読み取り条件として、例えば、ＰＣＳ値０．１５以下等の濃度条件が設けられている。
【０００７】
ここで、文字、罫線、地紋等の本文用紙に印刷する画像をまとめて色分解して作成した版を用いて印刷を行う場合、地紋等に用いるカラー絵柄の色調を合わせることにより、文字や罫線等が前述したＰＣＳ値の濃度条件を逸脱する可能性があり、濃度管理が難しいという問題がある。
【０００８】
すなわち、印刷時の印刷濃度は、印刷ユニットのインクつぼの開閉によるインク供給量や網点のドット大きさ等によって調整する。そして、インク供給量の多い印刷箇所があると、周囲でもインク供給量が多くなり、濃度が高くなる傾向にある。そのため、印刷濃度の調整を行う際、意図に反してＰＣＳ値の濃度条件を逸脱してしまう箇所が生じる可能性がある。
【０００９】
また、文字や罫線を含め全印刷画像をまとめて色分解することにより、文字、罫線等の各色の版にずれが生じ、文字や罫線の視認性が低下する可能性が高くなる。
【００１０】
本発明は、上記の問題に鑑みてなされたものであり、印刷濃度管理が容易で、視認性の高い通帳の印刷が可能な通帳印刷方法等を提供することを目的とする。
【課題を解決するための手段】
【００１１】
前述した目的を達するための第１の発明は、通帳の内部用紙に、少なくとも罫線および文字から成る取引明細欄、および、カラー絵柄を印刷する通帳印刷方法であって、前記内部用紙に、前記取引明細欄の画像から色分解せずに作成した第１の版により前記取引明細欄を印刷するとともに、前記カラー絵柄の画像から色分解して作成した第２の版により前記カラー絵柄を印刷することを特徴とする通帳印刷方法である。
カラー絵柄は、例えば、カラーグラデーションや、彩色、地紋、写真・イラスト等の画像などである。
【００１２】
このように、文字、罫線等の取引明細欄の画像と、カラー絵柄の画像を別に処理して、それぞれ、第１の版、および、第２の版を作成し、順次印刷を行うことにより、文字や罫線で構成される取引明細欄等が濃度基準を満たすように、印刷濃度の管理が容易に行えるとともに、版ずれがなく、視認性の高い通帳印刷が可能になる。
【００１３】
また、バーコードの画像から色分解せずに作成した第３の版により、前記内部用紙にバーコードの印刷を行うことが望ましい。これにより、内部用紙にスキャナー読み取り領域等を定めるバーコードの印刷を行うことができる。
さらに、前記取引明細欄の印刷を行う際は、ドロップアウトカラーインキを用いることもでき、取引明細欄がスキャナー読み取りの妨げとならない。
加えて、前記第１の版は、前記取引明細欄の前記罫線の画像から色分解せずに作成した前記罫線を印刷するための版と、前記取引明細欄の前記文字の画像から色分解せずに作成した前記文字を印刷するための版から成り、前記罫線を印刷するための版、または前記文字を印刷するための版は、前記罫線の部分または前記文字によって異なる複数の版を含むものとすることもでき、文字や罫線の色にバリエーションを持たせることができる。
【００１４】
前記第２の版は、前記カラー絵柄の画像を色分解して作成した、前記カラー絵柄のシアン（Ｃ）、マゼンダ（Ｍ）、イエロー（Ｙ）の成分をそれぞれ印刷するための版から成る。これにより、カラー絵柄の印刷に適した版の作成を行う。
【００１５】
前記通帳の印刷を行う際は、作成した各版を、オフセット印刷機またはグラビア印刷機を構成する複数の印刷ユニットにそれぞれ取り付けて、前記複数の印刷ユニットにより印刷を行うことにより、オフセット印刷機またはグラビア印刷機で通帳の印刷を行う。
また、前記第２の版は、前記カラー絵柄の画像を色分解した後、ＦＭ（Ｆｒｅｑｕｅｎｃｙ  Ｍｏｄｕｌａｔｉｏｎ）スクリーニング処理により網点変換した画像データから製版してもよい。これにより、印字された取引明細等の視認性を高くするカラー絵柄を得ることが可能になる。
【００１６】
第２の発明は、表紙および前記表紙の内部に挟み込まれた内部用紙よりなる通帳であって、前記内部用紙は、少なくとも罫線および文字から成る取引明細欄、および、カラー絵柄が印刷され、前記取引明細欄は、前記取引明細欄の画像から色分解せずに作成された第１の版により印刷され、前記カラー絵柄は、前記カラー絵柄の画像から色分解して作成された第２の版により印刷されることを特徴とする通帳である。
【発明の効果】
【００１７】
本発明により、印刷濃度管理が容易で、視認性の高い通帳の印刷が可能な通帳印刷方法等を提供することができる。
【図面の簡単な説明】
【００１８】
【図１】本発明の実施例に係る通帳１の印刷を施した内部用紙１１の平面展開図
【図２】本実施の形態に係る通帳印刷方法の手順を示すフローチャート
【図３】本実施の形態に係るオフセット枚葉機２の構成を示す概略構成図
【発明を実施するための形態】
【００１９】
以下、本発明を図に示した実施例を用いて詳細に説明する。
図１は、本発明の一実施形態に係る通帳１の印刷を施した内部用紙１１の平面展開図である。
通帳１は、通常、表紙と、複数の内部用紙１１から成る。
【００２０】
図１に示すように、通帳１の内部用紙１１には、文字１５および罫線１６からなる取引明細欄、バーコード１３、カラー絵柄１８が印刷されている。
文字１５は、例えば、「普通預金（兼お借入明細）」、「年月日」、「摘要」、「お支払い金額」、「お預り金額」、「差引残高」、「店番号」、取引明細欄の行番号を表わす「１」〜「２４」の数値等である。
また、罫線１６は、取引明細欄の各項目や、行を分割する線である。
また、バーコード１３は、通帳１の内部用紙１１のページ番号等を示すコードである。
【００２１】
また、バーコード１３の下部の領域、すなわち、「年月日」の下の取引明細欄は読み取り領域１７となる。
通帳１を自動現金預払機ＡＴＭが処理する際、ＡＴＭに装備されたスキャナーによりバーコード１３が読み込まれ、内部用紙１１のページ番号が認識されるとともに、その下部の読み取り領域１７をスキャナーで走査し、何行目まで取引明細（年月日）が印刷されているかが認識され、印刷済みの行の次の行以降に取引明細が印字される。
この例では、バーコード１３は内部用紙１１の左部に印刷され、「年月日」の欄が読み取り領域１７になっているが、バーコード１３、および、読み取り領域１７の位置はこれに限ることはない。例えば、「差引残高」の欄で既に印刷された取引明細の印字インキを検出し、行番号を認識するようにしてもよく、その場合、バーコード１３は、「差引残高」の欄の上部に印刷すればよい。
【００２２】
カラー絵柄１８は、例えば、図１に示すようなイラストや写真、カラーグラデーション、彩色等である。
カラー絵柄１８を印刷する領域はカラー絵柄領域１９であり、図１では、「摘要」、「お支払い金額」、「お預り金額」、「差引残高」、「店番号」の欄の下部の領域になっている。
カラー絵柄領域１９の範囲は、例えば読み取り領域１７等を除き図１に示す範囲とするが、これに限らず、例えば、文字１５や罫線１６の背景領域、読み取り領域１７やバーコード１３の部分等、内部用紙１１の全領域でもよい。但し、読み取り領域１７の部分にカラー絵柄１８を印刷する場合には、読み取り領域１７に印字された取引明細がスキャナーで読み取れるように、ＰＣＳ値などの印刷濃度を考慮したカラー絵柄にする必要がある。
【００２３】
次に、通帳１の内部用紙１１に、図１のように取引明細欄やカラー絵柄１８を印刷する方法について、図２、図３を用いて説明する。
最終的には、カラー絵柄１８と、文字１５・罫線１６等からなる取引明細欄、またバーコード１３が内部用紙１１上に印刷されるが、まず、取引明細欄、バーコード、カラー絵柄の印刷に使用する版を、文字１５・罫線１６等の取引明細欄の画像と、バーコード１３の画像と、カラー絵柄１８の画像より別々に作成する（ステップ１０１）。
【００２４】
取引明細欄を印刷するための版（第１の版）は、文字１５・罫線１６等の取引明細欄の原画像を、色分解せずに単一の網点画像データに変換し、これをＣＴＰシステムにより版面に形成することにより作成される。取引明細欄の版の作成時には、ＰＣＳ値の規定を満たすように、網点画像のドット大きさ等を調整し、印字される取引明細のスキャナー読み取りを妨げないようにする。なお、同様にして取引明細欄の文字１５の原画像、罫線１６の原画像を、それぞれ単一の網点画像データに変換し、文字１５と罫線１６で別々の版を作成してもよい。これらを用い、異なる色で取引明細欄を印刷することにより、文字と罫線の色にバリエーションを持たせることも可能である。また文字１５についても、個々の文字１５ごとに複数の原画像を用意し、文字１５ごとに異なる版を作成することも可能である。罫線１６についても同様で、個々の部分で異なる版を作成することも可能である。
バーコード１３を印刷するための版（第３の版）も、取引明細欄と同様、バーコード１３の原画像を、色分解せずに単一の網点画像データに変換し、これをＣＴＰシステムにより版面に形成することにより作成される。
【００２５】
なお、取引明細欄の文字１５および罫線１６は、通常、ＡＴＭのスキャナーで読み取られにくい印刷インキを使用して印刷される。即ち、文字１５および罫線１６の印刷インキの色は、ＡＴＭのスキャナーの光源色による。スキャナーの光源が緑の場合はグリーン系の、光源が赤の場合は赤やオレンジ系の、光源が青の場合はブルー系の印刷インキを使用し、ＰＣＳ値で規定された濃度以内で印刷すればよい。または、文字１５および罫線１６の印刷インキとして、スキャナー読み取りの妨げとならない、ドロップアウトカラーインキを使用してもよい。
また、バーコード１３は、通常、高明度の内部用紙１１とのコントラストが最も大きい、ブラック（Ｋ）を使用して印刷する。
【００２６】
一方、カラー絵柄１８の版（第２の版）は、カラー絵柄１８の原画像をラスターデータに変換することにより、シアン（Ｃ）、マゼンダ（Ｍ）、イエロー（Ｙ）の色分解データが得られ、それぞれの色についてのラスターデータを網点画像データに変換し、これをＣＴＰシステムにより版面に形成することにより作成される。これにより、カラー絵柄１８用のシアン（Ｃ）、マゼンダ（Ｍ）、イエロー（Ｙ）の３つの版が得られる。上記の３色に分解することにより、カラー絵柄１８の印刷に適したものとすることができるが、これと異なる色に色分解を行うことも可能である。カラー絵柄１８の版の作成時には、ＰＣＳ値の規定を満たすように、網点画像のドット大きさ等を調整し、取引明細の視認性が低下しないようにする。
また、カラー絵柄１８の網点変換には、ＦＭ（Ｆｕｒｅｑｕｅｎｃｙ  Ｍｏｄｕｒａｔｉｏｎ）スクリーニングを用いると、各ドットが小さく、印字される取引明細等の視認性がより高くなるので好適である。
【００２７】
以上のように、バーコード１３用の版と、文字１５・罫線１６等の取引明細欄用の版、カラー絵柄１８用のシアン（Ｃ）、マゼンダ（Ｍ）、イエロー（Ｙ）の３つの版を合わせ５つの版が作成される。
原画像のラスターデータへの変換処理ソフトウエアや、網点データへの変換処理ソフトウエアは、コンピュータのアプリケーション・ソフトウエアであり、これらの処理は、コンピュータ上で実行される。
【００２８】
次に、オフセット印刷機により、取引明細欄用の版を用いて、内部用紙１１に取引明細欄の印刷を行うとともに、カラー絵柄１８用の版を用いて内部用紙１１にカラー絵柄１８の印刷を行う。さらに、バーコード１３用の版を用いて、内部用紙１１にバーコード１３の印刷を行う（ステップ１０２）。
図３は、前述した５つの版を印刷するオフセット枚葉機２の概略構成図である。
オフセット枚葉機２は、給紙部２００、印刷部３００、排紙部４００より成る。
【００２９】
給紙部２００は、給紙パイル２１と、給紙装置２３、フィーダーボード２５等よりなる。
給紙パイル２１には、印刷処理を行う内部用紙１１が収納されている。
給紙装置２３は、給紙パイル２１に収納されている内部用紙１１を１枚ずつフィーダーボード２５に送り出し、内部用紙１１は、フィーダーボード２５上を搬送されて印刷部３００に送り込まれる。
【００３０】
印刷部３００は、前述した５つの版を順次印刷する５つの印刷ユニットと、第１渡し胴２７、各印刷ユニット間に設けられた渡し胴３７、排紙胴４１等から成る。
５つの印刷ユニットは、バーコード印刷部３１０、取引明細欄印刷部３３０、Ｃ（シアン）印刷部３５１、Ｍ（マゼンダ）印刷部３５３、Ｙ（イエロー）印刷部３５５である。
Ｃ印刷部３５１、Ｍ印刷部３５３、Ｙ印刷部３５５の３つの印刷ユニットによりカラー絵柄印刷部３５０が構成される。
【００３１】
印刷部３００に送り込まれた内部用紙１１は、第１渡し胴２７を介して第１の印刷ユニットであるバーコード印刷部３１０に送り込まれる。
バーコード印刷部３１０の版胴３１には、バーコード１３用の版板が巻装され、バーコード印刷部３１０に装備されたブラック（Ｋ）のインキ供給装置（図示せず）により版板に転移されたインキがブランケット胴３３に転移し、圧胴３５とブランケット胴３３間を走行する内部用紙１１にブラック（Ｋ）のインキが転移し、印刷される。これにより、例えばバーコード１３のようなブラック（Ｋ）による印刷が完了する。
【００３２】
バーコード印刷部３１０と取引明細欄印刷部３３０の間には渡し胴３７が装備され、ブラック（Ｋ）による印刷が完了した内部用紙１１が渡し胴３７を介して取引明細欄印刷部３３０に送られる。
取引明細欄印刷部３３０の版胴３１には、取引明細欄用の版板が巻装され、インキ供給装置（図示せず）には、ＡＴＭのスキャナーの光源色と同系統の色のインキが充填される。例えば、スキャナーの光源が青の場合は、パープルのドロップアウトカラーインキを使用すればよい。
版胴３１に巻装された版板に転移されたインキがブランケット胴３３に転移し、このインキが圧胴３５とブランケット胴３３の間を走行する内部用紙１１に転移することにより、文字１５および罫線１６等からなる取引明細欄が印刷される。
【００３３】
取引明細欄が印刷された内部用紙１１は、取引明細欄印刷部３３０とＣ印刷部３５１の間に装備された渡し胴３７を介してカラー絵柄印刷部３５０のＣ印刷部３５１に送られる。
Ｃ印刷部３５１の版胴３１には、カラー絵柄１８用のＣ（シアン）の版板が巻装され、Ｃ印刷部３５１のインキ供給装置に充填されたＣ（シアン）のインキにより、圧胴３５とブランケット胴３３間を走行する内部用紙１１にシアン（Ｃ）の版が印刷される。
【００３４】
シアン（Ｃ）の印刷が完了した内部用紙１１は、渡し胴３７を介してＭ印刷部３５３に送られ、他の色のインキと同様に、マゼンダ（Ｍ）の印刷が行われる。
Ｍ印刷部３５３の版胴３１には、マゼンダ（Ｍ）の版板が巻装されている。
同様に、マゼンダ（Ｍ）の印刷が完了した内部用紙１１は、渡し胴３７を介してＹ印刷部３５５に送られ、イエロー（Ｙ）の印刷が行われる。
Ｙ印刷部３５５の版胴３１には、イエロー（Ｙ）の版板が巻装されている。
【００３５】
Ｃ印刷部３５１、Ｍ印刷部３５３、Ｙ印刷部３５５によるＣ（シアン）、Ｍ（マゼンダ）、Ｙ（イエロー）の版の印刷が完了することにより、カラー絵柄１８が印刷され、バーコード１３および取引明細欄とともに、内部用紙１１の印刷が完了する。
【００３６】
印刷が完了した内部用紙１１は、排紙胴４１を介して排紙部４００に排出され、排紙パイル４５に載置される。排紙部４００には、印刷済みの内部用紙１１の動きを安定化するためのファン４３等が設置されている。
【００３７】
オフセット枚葉機２による以上の印刷処理により、内部用紙１１の片面への処理が終了する。通常、内部用紙１１には両面印刷により取引明細欄等が印刷される。もう一方の面の印刷も、前述のオフセット枚葉機２により印刷すればよい。
以上のようにして、内部用紙１１に取引明細欄、バーコードとカラー絵柄が印刷される。
【００３８】
本実施の形態の印刷機としてはオフセット枚葉機２を例にあげたが、グラビア印刷機を使用してもよい。この場合も同様、取引明細欄、バーコードの原画像を色分解せずに単一の網点画像データに変換し、カラー絵柄の原画像を色分解してＣ、Ｍ、Ｙ等の網点画像データに変換する。そして、これらにより取引明細欄、バーコード、カラー絵柄を印刷するためのグラビア印刷用の版を作成しグラビア印刷機の複数の印刷ユニットの版胴にそれぞれ取り付けて印刷を行うとよい。
【００３９】
以上の通帳印刷方法により、カラー絵柄と、文字・罫線の印刷濃度管理が容易に行え、視認性の良い通帳を得ることが可能になる。また、文字・罫線のずれを防ぐことが可能であり、視認性が向上する。
【００４０】
以上、添付図面を参照しながら、本発明に係る通帳印刷方法等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００４１】
１………通帳
２………オフセット枚葉機
１１………内部用紙
１３………バーコード
１５………文字
１６………罫線
１７………読み取り領域
１８………カラー絵柄
１９………カラー絵柄領域
３１………版胴
３３………ブランケット胴
３５………圧胴
３００………印刷部
３１０………バーコード印刷部
３３０………文字・罫線印刷部
３５０………カラー絵柄印刷部
３５１………Ｃ印刷部
３５３………Ｍ印刷部
３５５………Ｙ印刷部
【図１】
0005565022.tif 000002
【図２】
0005565022.tif 000003
【図３】
0005565022.tif 000004